(57)【要約】  複数の建屋に設置された発電装置から、ほぼ均等に商用電力系統に売電することを可能にする売電管理システムを提供する。それぞれの発電装置から配電線への送電をオン、オフする複数の売電切替部を有し、サーバは、優先順位付与部と、発電装置決定部と、切替制御部と、を有することを特徴とする売電管理システム。
2011067992.tif 000002
【特許請求の範囲】
【請求項１】
変圧器を介して供給される商用電力の配電線と、前記配電線へ送電する複数の分散型の発電装置と、前記発電装置から前記配電線への送電を管理するサーバとを備えた売電管理システムであって、
それぞれの前記発電装置から前記配電線への送電経路をオン、オフする複数の売電切替部を有し、
前記サーバは、
それぞれの前記発電装置に優先順位を付与する優先順位付与部と、
前記優先順位付与部が付与した前記優先順位と前記発電装置の発電状況に基づく送電可否情報とに基づいて、前記配電線への送電を所定時間許可する前記発電装置を決定する発電装置決定部と、
前記発電装置決定部の決定した前記発電装置から前記配電線へ所定時間送電できるようにそれぞれの前記売電切替部を制御する切替制御部と、
を有することを特徴とする売電管理システム。
【請求項２】
前記優先順位付与部は、
前記発電装置決定部が前記配電線への送電を所定時間許可する前記発電装置を決定した後、それぞれの前記発電装置に付与する優先順位を更新することを特徴とする請求項１に記載の売電管理システム。
【請求項３】
前記優先順位付与部は、
それぞれの前記発電装置に付与する優先順位を更新する際、優先順位を一律に順送りで変更することを特徴とする請求項１または２に記載の売電管理システム。
【請求項４】
前記優先順位付与部は、
それぞれの前記発電装置に付与する優先順位を更新する際、優先順位が最上位であるにもかかわらず送電が許可されなかった発電装置の順位をそのまま保持することを特徴とする請求項１または２に記載の売電管理システム。
【請求項５】
前記サーバは、
前記発電装置から前記配電線への送電の履歴情報を記憶する送電履歴情報記憶部を有し、
前記優先順位付与部は、
前記送電履歴情報記憶部から読み出した履歴情報に基づいてそれぞれの前記発電装置に優先順位を付与することを特徴とする請求項１または２に記載の売電管理システム。
【請求項６】
前記送電履歴情報記憶部は、
それぞれの前記発電装置からの送電要求時間の履歴情報を記憶し、
前記優先順位付与部は、
前記送電履歴情報記憶部から読み出した前記送電要求時間の履歴情報に基づいて、送電要求時間の比率に応じてそれぞれの前記発電装置に優先順位を付与することを特徴とする請求項５に記載の売電管理システム。
【請求項７】
それぞれの前記発電装置から前記配電線へ送電した電力を計測する複数の電力計を有し、
前記サーバは、
売電単価のテーブルと、
前記電力計の計測した電力の情報と前記テーブルから読み出した売電単価とに基づいてそれぞれの前記発電装置からの送電によって得られる売電金額を算出し、前記送電履歴情報記憶部に記憶させる売電金額算出部と、
を有し、
前記優先順位付与部は、
前記送電履歴情報記憶部に記憶されている売電金額に基づいてそれぞれの前記発電装置に優先順位を付与することを特徴とする請求項５に記載の売電管理システム。
【発明の詳細な説明】
【技術分野】
【０００１】
本発明は、売電管理システムに関する。
【背景技術】
【０００２】
個人住宅などの一般低圧需要家の建屋に設置された太陽電池や燃料電池などの分散型発電装置の直流電圧出力を、昇圧して配電線に接続し、変圧器を介して商用電力系統に連係する系統連係型発電システムが普及しつつある（例えば、特許文献１、２参照）。【０００３】
このような系統連係型発電システムでは、発電装置で発電した電力に余剰分があるときは、変圧器を介して商用電力系統に送電すると電力会社が買い取る、いわゆる売電が行われている。
【先行技術文献】
【特許文献】
【０００４】
【特許文献１】特開平６−１９７４５６号公報
【特許文献２】国際特許公開２０００／７４１９９号
【発明の概要】
【発明が解決しようとする課題】
【０００５】
近年、このような分散型の発電装置の普及に伴い、一つの変圧器に配電線を接続されている複数の建屋にそれぞれ発電装置が設置される場合が増えてきた。それぞれの建屋に設置された発電装置の発電できる時期や発電量は、発電装置の仕様や設置状況、性能等によって異なっている。【０００６】
例えば、燃料電池は時刻や天候にかかわらず発電できるのに対し、太陽電池や風力発電装置の発電能力は時刻や天候によって大きく変動する。また、各建屋に設置された太陽電池や風力発電装置の発電能力は、同じ時刻や天候でも設置状況や性能等によってそれぞれ異なる。【０００７】
例えば太陽電池のみを設置した建屋と燃料電池を併設した建屋の配電線が一つの変圧器に接続されている場合を想定すると、燃料電池を併設した建屋では燃料電池で発電した電気を優先的に消費することにより太陽電池で発電した電気を売電にまわすことができるため、太陽電池のみを設置した建屋と比較して売電量が多くなる。【０００８】
また、太陽電池同士の比較でも、売電する機会は設置条件等により異なることがある。このように、様々な条件によって発電装置を設置した建屋毎に売電する機会が偏ったり変動する問題があり、売電電力と売電によって得られる金額に差が生じていた。【０００９】
特許文献１、特許文献２には、このような発電装置を設置した建屋毎に売電する機会が偏ったり変動する問題については全く記載されていない。【００１０】
本発明は、上記課題に鑑みてなされたものであって、複数の建屋に設置された発電装置から、ほぼ均等に商用電力系統に売電することを可能にする売電管理システムを提供することを目的とする。
【課題を解決するための手段】
【００１１】
上記の課題を解決するため、本発明は以下のような特徴を有するものである。【００１２】
変圧器を介して供給される商用電力の配電線と、前記配電線へ送電する複数の分散型の発電装置と、前記発電装置から前記配電線への送電を管理するサーバとを備えた売電管理システムであって、
それぞれの前記発電装置から前記配電線への送電経路をオン、オフする複数の売電切替部を有し、
前記サーバは、
それぞれの前記発電装置に優先順位を付与する優先順位付与部と、
前記優先順位付与部が付与した前記優先順位と前記発電装置の発電状況に基づく送電可否情報とに基づいて、前記配電線への送電を所定時間許可する前記発電装置を決定する発電装置決定部と、
前記発電装置決定部の決定した前記発電装置から前記配電線へ所定時間送電できるようにそれぞれの前記売電切替部を制御する切替制御部と、
を有することを特徴とする売電管理システム。
【発明の効果】
【００１３】
本発明の売電管理システムは、変圧器を介して供給される商用電力の配電線と、複数の分散型の発電装置と、発電装置から配電線への送電を管理するサーバとを備え、複数の売電切替部を有している。サーバは、それぞれの発電装置に優先順位を付与し、その優先順位と送電可否情報とに基づいて、配電線への送電を許可する発電装置と送電時間を決定し、決定に基づき売電切替部を制御する。【００１４】
したがって、複数の建屋に設置された発電装置から、ほぼ均等に商用電力系統に売電することを可能にする売電管理システムを提供することができる。
【図面の簡単な説明】
【００１５】
【図１】商用電力系統の構成を説明する説明図である。
【図２】第１の実施形態に係る売電管理システムの構成の一例を示すブロック図である。
【図３】第１の実施形態に係るサーバの構成を示すブロック図である。
【図４】第１の実施形態に係る売電管理システムの制御手順の一例を示すタイムチャートである。
【図５】第１の実施形態に係る売電管理システムの制御手順の一例を示すフローチャートである。
【図６】第１の実施形態に係る売電管理システムの、図４とは異なる制御手順の一例を示すタイムチャートである。
【図７】第２の実施形態に係る売電管理システムの構成の一例を示すブロック図である。
【図８】第２の実施形態に係るサーバの構成を示すブロック図である。
【図９】第２の実施形態に係る売電管理システムの制御手順の一例を示すタイムチャートである。
【図１０】第２の実施形態に係る売電管理システムの制御手順の一例を示すフローチャートである。
【発明を実施するための形態】
【００１６】
以下、本発明に係る実施の一形態を図面に基づいて説明するが、本発明は該実施の形態に限られない。なお、各図において同一の符号を付した構成は、同一の構成であることを示し、その説明を省略する。
【００１７】
図１は、商用電力系統の構成を説明する説明図、図２は、第１の実施形態に係る売電管理システムの構成の一例を示すブロック図、図３は、第１の実施形態に係るサーバの構成を示すブロック図である。
【００１８】
最初に図１、図２に示す商用電力系統の構成を説明する。
【００１９】
発電所２０の系統電源１２で発電された電力は、超高圧送電線２２で各地の変電所２１に送電される。変電所２１の主変圧器１１で高圧交流に変換し、高圧送電線２３を介して各地の柱上トランスなどの変圧器１に送電される。変圧器１では高圧交流を低圧交流に変換し、需要家の配電線２４を介して各建屋１９に低圧交流を供給する。
【００２０】
本実施形態の分散型の発電装置６は、例えば、太陽電池などを用いることができる。発電装置６は、建屋１９に設置され直流電力を発生する。図２では建屋１９Ａ、建屋１９Ｂ、建屋１９Ｃの３つの建屋に発電装置６がそれぞれ設置されている例を図示している。以降、それぞれの建屋に設けられた機能要素を区別する時は、各機能要素の番号にＡ、Ｂ、Ｃを付して区別する。なお、建屋１９の数は特に限定されるものではない。
【００２１】
発電装置６の直流電力出力は、直流負荷１８とＰＣＵ（Ｐｏｗｅｒ  Ｃｏｎｔｒｏｌ  Ｕｎｉｔ）７に供給されている。直流負荷１８は、直流電源によって駆動できる機器や２次電池などである。発電装置６の直流電力出力は、ＰＣＵ７に設けられたＤＣ−ＡＣコンバータ５により交流電力に変換される。
【００２２】
発電装置６の直流電力出力を交流に変換したＤＣ−ＡＣコンバータ５の交流電力出力は、売電切替部２を介して配電線２４に接続されている。売電切替部２は、送電制御部４の制御により、ＤＣ−ＡＣコンバータ５から配電線２４への送電経路をオン、オフする。
【００２３】
送電経路がオン状態で、ＤＣ−ＡＣコンバータ５の出力する交流電圧の方が、配電線２４の電圧より高い場合は発電装置６の発電した電力を変圧器１を介して商用電力系統に送電（売電）することができる。
【００２４】
配電線２４には、交流電源によって駆動できる交流負荷１０が接続されている。
【００２５】
送電制御部４は、例えばＣＰＵ（中央処理装置）と記憶部、Ｅｔｈｅｒｎｅｔ（登録商標）などで通信を行う通信部、発電装置６の電圧を検出する電圧検出部等から構成されている。ＣＰＵは記憶部に記憶されているプログラムをＲＡＭ（Ｒａｎｄｏｍ  Ａｃｃｅｓｓ  Ｍｅｍｏｒｙ）に読み出し、当該プログラムに従って各部を制御する。記憶部は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成される。
【００２６】
送電制御部４Ａ、４Ｂ、４Ｃは、それぞれ通信網４１を介してサーバ４０と通信する。
【００２７】
サーバ４０は、例えば電力会社に設置され、発電装置６から配電線２４への送電（売電）を管理する。
【００２８】
通信網４１は、無線、有線を問わず、例えば電力線を利用した専用の通信網でも良いし、インターネットを利用したものでも良い。
【００２９】
図３は、本発明の第１の実施形態に係るサーバ４０の内部構成の一例を示すブロック図である。
【００３０】
サーバ４０は、全体を制御するＣＰＵ５０、操作ボタンとキーによりユーザがサーバ４０への入力と各種操作を行う入力部６０、Ｅｔｈｅｒｎｅｔ（登録商標）などで通信を行う送信部６３と受信部６４を備えた通信部６１などから構成されている。
【００３１】
また、サーバ４０は、画像や文字を表示する表示部６２、および図示せぬＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）などから構成される記憶部７０を備えている。記憶部７０は、例えばＯＳ（オペレーティングシステム）、プログラム等を記憶しており、ＣＰＵ５０がこれらのプログラムを実行する。
【００３２】
ＣＰＵ５０は、発電装置６Ａ、６Ｂ、６Ｃに売電の優先順位を付与する優先順位付与部５１、優先順位付与部５１が付与した優先順位と通信部６１が受信した送電要求とに基づいて、配電線２４への送電を所定時間許可する発電装置６を決定する発電装置決定部５２を備えている。また、ＣＰＵ５０は、発電装置決定部５２の決定した発電装置６から配電線２４へ所定時間送電できるようにそれぞれの売電切替部２を制御する切替制御部５５と、カレンダー機能を有する時計部５６を備えている。
【００３３】
切替制御部５５は、通信部６１から通信網４１を介して送電経路のオン、オフを送電制御部４に指令し、送電制御部４は指令に基づいて売電切替部２を制御し、ＤＣ−ＡＣコンバータ５から配電線２４への送電経路をオン、オフする。
【００３４】
記憶部７０は、優先順位付与部５１が発電装置６Ａ、６Ｂ、６Ｃに付与した優先順位を記憶する優先順位記憶部７１を備えている。
【００３５】
次に、図４、図５を用いて第１の実施形態に係る売電管理システムの制御手順を説明する。
【００３６】
図４は、第１の実施形態に係る売電管理システムの制御手順の一例を示すタイムチャートである。図５は、第１の実施形態に係る売電管理システムの制御手順の一例を示すフローチャートである。
【００３７】
本実施形態では、サーバ４０から所定の周期Ｔ毎に通信網４１を介して送電制御部４Ａ、４Ｂ、４Ｃに発電状況を問い合わせ、複数の送電制御部４から送電要求があった場合は優先順位の最も高い送電制御部４に送電を許可する制御手順を説明する。
【００３８】
図４の横軸は時間軸であり、図４に示す周期Ｔ毎のｔ１からｔ７で示すタイミングは、サーバ４０から送電制御部４Ａ、４Ｂ、４Ｃに発電状況を問い合わせるタイミングである。
【００３９】
図４（ａ）は、それぞれの発電装置６Ａ、６Ｂ、６Ｃから商用電力系統への送電が可か、不可かのステータス（送電可否情報）の一例を示すタイムチャートである。送電制御部４は、サーバ４０から発電状況を問い合わせがあった時点で各発電装置の送電可否情報に基づき、送電が可能な場合（ステータスが可の場合）、サーバ４０に送電要求をする。
【００４０】
なお、この送電可否情報は、可であるか否であるかを直接示す情報に限られることなく、発電装置の発電状況に対応する情報であって、それに基づいて送電できる発電状況であるか送電できない発電状況であるかを判断できるような情報であればどのような態様でもよい。また、送電要求ではなく送電可否情報をそのままサーバ４０に送信する、あるいはサーバ４０側が送電可否情報を検知するものであってもよい。
【００４１】
図４（ｂ）は、優先順位付与部５１が付与し優先順位記憶部７１に記憶されているそれぞれの発電装置６Ａ、６Ｂ、６Ｃ（または、建屋１９Ａ、１９Ｂ、１９Ｃ）の優先順位を、各タイミング毎に示している。図４（ｂ）に示すＡ、Ｂ、Ｃは発電装置６Ａ、６Ｂ、６Ｃの優先順位であり、矢印の方向に配置されているほど優先順位が高い。
【００４２】
図４（ｃ）は、売電切替部２Ａ、２Ｂ、２Ｃによって切り替えられた送電経路のオン、オフの状態のタイムチャートを示している。
【００４３】
以下、図４を参照しながら図５のフローチャートを順に説明する。
【００４４】
サーバ４０の周期Ｔ毎の内部タイマによる割り込みにより、例えば図４に示すｔ１、ｔ２・・・、ｔ７のタイミングで本プログラムは起動される。
【００４５】
Ｓ１０：送電要求有りか否かを判定するステップである。
【００４６】
サーバ４０の切替制御部５５は、通信部６１から通信網４１を介して送電制御部４Ａ、４Ｂ、４Ｃに発電状況を問い合わせる。
【００４７】
送電要求有りの場合、（ステップＳ１０；Ｙｅｓ）、ステップＳ１１に進む。
【００４８】
少なくとも一つの送電制御部４から送電要求があった場合は、ステップＳ１１に進む。
【００４９】
送電要求無しの場合、（ステップＳ１０；Ｎｏ）、処理を終了し元のルーチンに戻る。
【００５０】
発電装置決定部５２は、配電線２４への送電を許可する発電装置６無しと決定する。
【００５１】
Ｓ１１：送電を許可する発電装置を決定するステップである。
【００５２】
発電装置決定部５２は、優先順位付与部５１が付与した優先順位と通信部６１が受信した送電要求とに基づいて、配電線２４への送電を所定時間許可する発電装置６を決定する。
【００５３】
図４の例では、ｔ１のタイミングでは発電装置６Ａ、６Ｂ、６Ｃの全てが商用電力系統への送電が可能な状態であり、送電制御部４Ａ、４Ｂ、４Ｃからそれぞれ送電要求が行われる。ｔ１のタイミングで優先順位記憶部７１に記憶されている発電装置６Ａ、６Ｂ、６Ｃの優先順位は、高いものからＡ、Ｂ、Ｃの順である。
【００５４】
発電装置決定部５２は、ｔ１のタイミングでは発電装置６Ａ、６Ｂ、６Ｃの中で最も優先順位が高い発電装置６Ａを、送電を許可する発電装置６に決定する。
【００５５】
Ｓ１２：送電制御信号を送信するステップである。
【００５６】
切替制御部５５は、発電装置決定部５２の決定に基づき、通信部６１から通信網４１を介して送電制御信号を送信し、送電経路のオン、オフを送電制御部４に指令する。
【００５７】
図４の例では、切替制御部５５は、図４（ｃ）に示すようにｔ１のタイミングで売電切替部２Ａの送電経路をオン、売電切替部２Ｂと売電切替部２Ｃの送電経路をオフにする。
【００５８】
Ｓ２０：優先順位を更新するステップである。
【００５９】
優先順位付与部５１は、発電装置６Ａ、６Ｂ、６Ｃの優先順位を更新する。
【００６０】
図４（ｂ）の例では、優先順位付与部５１は、所定期間Ｔごとに優先順位が一番目だった発電装置の優先順位を最下位にし、２番目だった発電装置の優先順位を繰り上げて最上位にし、３番目だった発電装置の優先順位を繰り上げて２番目にしている。
【００６１】
タイマー割り込み処理の手順の説明は以上である。
【００６２】
図４のｔ２以降のタイミングで行われるタイマー割り込み処理の詳細を説明する。
【００６３】
ｔ２のタイミングでも発電装置６Ａ、６Ｂ、６Ｃの全てが商用電力系統への送電が可能な状態であり、送電制御部４Ａ、４Ｂ、４Ｃからそれぞれ送電要求が行われる。ｔ２のタイミングで優先順位記憶部７１に記憶されているそれぞれの発電装置６Ａ、６Ｂ、６Ｃの優先順位は、高いものからＢ、Ｃ、Ａの順である。
【００６４】
発電装置決定部５２は、ｔ２のタイミングでは発電装置６Ａ、６Ｂ、６Ｃの中で最も優先順位が高い発電装置６Ｂを、送電を許可する発電装置６に決定する。
【００６５】
切替制御部５５は、図４（ｃ）に示すようにｔ２のタイミングで売電切替部２Ｂの送電経路をオン、売電切替部２Ａと売電切替部２Ｃの送電経路をオフにする。
【００６６】
次に、優先順位付与部５１は、優先順位が１番目だった発電装置６Ｂの優先順位を最下位にし、２番目だった発電装置６Ｃの優先順位を繰り上げて最上位にし、３番目だった発電装置６Ａの優先順位を繰り上げて２番目にしている。
【００６７】
ｔ３のタイミングでも発電装置６Ａ、６Ｂ、６Ｃの全てが商用電力系統への送電が可能な状態であり、送電制御部４Ａ、４Ｂ、４Ｃからそれぞれ送電要求が行われる。ｔ３のタイミングで優先順位記憶部７１に記憶されているそれぞれの発電装置６Ａ、６Ｂ、６Ｃの優先順位は、高いものからＣ、Ａ、Ｂの順である。
【００６８】
発電装置決定部５２は、ｔ３のタイミングでは発電装置６Ａ、６Ｂ、６Ｃの中で最も優先順位が高い発電装置６Ｃを、送電を許可する発電装置６に決定する。
【００６９】
切替制御部５５は、図４（ｃ）に示すようにｔ３のタイミングで売電切替部２Ｃの送電経路をオン、売電切替部２Ａと売電切替部２Ｂの送電経路をオフにする。
【００７０】
次に、優先順位付与部５１は、優先順位が１番目だった発電装置６Ｃの優先順位を最下位にし、２番目だった発電装置６Ａの優先順位を繰り上げて最上位にし、３番目だった発電装置６Ｂの優先順位を繰り上げて２番目にしている。
【００７１】
ｔ４のタイミングでは、発電装置６Ａは商用電力系統への送電不可、発電装置６Ｂ、６Ｃは商用電力系統への送電が可能な状態であり、送電制御部４Ｂ、４Ｃからはそれぞれ送電要求が行われる。ｔ４のタイミングで優先順位記憶部７１に記憶されているそれぞれの発電装置６Ａ、６Ｂ、６Ｃの優先順位は、高いものからＡ、Ｂ、Ｃの順である。
【００７２】
発電装置決定部５２は、ｔ４のタイミングでは発電装置６Ａ、６Ｂ、６Ｃの中で最も優先順位が高い発電装置６Ａから送電要求が行われていないので、２番目に優先順位が高い発電装置６Ｂを送電を許可する発電装置６に決定する。
【００７３】
切替制御部５５は、図４（ｃ）に示すようにｔ４のタイミングで売電切替部２Ｂの送電経路をオン、売電切替部２Ａと売電切替部２Ｃの送電経路をオフにする。
【００７４】
次に、優先順位付与部５１は、優先順位が１番目だった発電装置６Ａの優先順位を最下位にし、２番目だった発電装置６Ｂの優先順位を繰り上げて最上位にし、３番目だった発電装置６Ｃの優先順位を繰り上げて２番目にしている。
【００７５】
ｔ５のタイミングでは、発電装置６Ａ、６Ｂ、６Ｃの全てが商用電力系統への送電が可能な状態であり、送電制御部４Ａ、４Ｂ、４Ｃからそれぞれ送電要求が行われる。ｔ５のタイミングで優先順位記憶部７１に記憶されているそれぞれの発電装置６Ａ、６Ｂ、６Ｃの優先順位は、高いものからＢ、Ｃ、Ａの順である。
【００７６】
発電装置決定部５２は、ｔ５のタイミングで最も優先順位が高い発電装置６Ｂを、引き続き送電を許可する発電装置６に決定する。
【００７７】
切替制御部５５は、図４（ｃ）に示すようにｔ５のタイミングで売電切替部２Ｂの送電経路をオン、売電切替部２Ａと売電切替部２Ｃの送電経路をオフにする。
【００７８】
次に、優先順位付与部５１は、優先順位が１番目だった発電装置６Ｂの優先順位を最下位にし、２番目だった発電装置６Ｃの優先順位を繰り上げて１番目に、３番目だった発電装置６Ａの優先順位を繰り上げて２番目にしている。
【００７９】
ｔ６のタイミングでは、発電装置６Ｃは商用電力系統への送電不可、発電装置６Ａ、６Ｂは商標電力系統への送電が可能な状態であり、送電制御部４Ａ、４Ｂからはそれぞれ送電要求が行われる。ｔ６のタイミングで優先順位記憶部７１に記憶されているそれぞれの発電装置６Ａ、６Ｂ、６Ｃの優先順位は、高いものからＣ、Ａ、Ｂである。
【００８０】
発電装置決定部５２は、ｔ６のタイミングでは、発電装置６Ａ、６Ｂ、６Ｃの中で最も優先順位が高い発電装置６Ｃから送電要求が行われていないので、２番目に優先順位が高い発電装置６Ａを送電を許可する発電装置６に決定する。
【００８１】
切替制御部５５は、図４（ｃ）に示すようにｔ６のタイミングで売電切替部２Ａの送電経路をオン、売電切替部２Ｂと売電切替部２Ｃの送電経路をオフにする。
【００８２】
次に、優先順位付与部５１は、優先順位が１番目だった発電装置６Ｃの優先順位を最下位にし、２番目だった発電装置６Ａの優先順位を繰り上げて１番目に、３番目だった発電装置６Ｂの優先順位を繰り上げて２番目にしている。
【００８３】
ｔ７のタイミングでは、発電装置６Ｂは商用電力系統への送電不可、発電装置６Ａ、６Ｃは商用電力系統への送電が可能な状態であり、送電制御部４Ａ、４Ｃからはそれぞれ送電要求が行われる。ｔ７のタイミングで優先順位記憶部７１に記憶されているそれぞれの発電装置６Ａ、６Ｂ、６Ｃの優先順位は、高いものからＡ、Ｂ、Ｃの順である。
【００８４】
発電装置決定部５２は、ｔ７のタイミングで発電装置６Ａ、６Ｂ、６Ｃの中で最も優先順位が高い発電装置６Ａを、送電を許可する発電装置６に決定する。
【００８５】
切替制御部５５は、図４（ｃ）に示すようにｔ７のタイミングで売電切替部２Ａの送電経路をオン、売電切替部２Ｂと売電切替部２Ｃの送電経路をオフにする。
【００８６】
次に、優先順位付与部５１は、優先順位が１番目だった発電装置６Ａの優先順位を最下位にし、２番目だった発電装置６Ｂの優先順位を繰り上げて１番目に、３番目だった発電装置６Ｃの優先順位を繰り上げて２番目にしている。
【００８７】
図４の説明は以上である。このように本実施形態では、商用電力系統への送電（売電）を所定時間毎に切り替え、送電を許可する発電装置の優先順位を一律に順送りとすることにより、複数の建屋１９に設置された発電装置６のうち１つの建屋の発電装置６が売電する状態を独占し続けることなく、平等に売電できる機会が与えられるようにすることができる。
【００８８】
ただし、上記の実施例では、優先順位を所定時間Ｔ毎に順送りする方法としていることから、たまたま優先順位が１番目となった際に送電が可能な状態でなければ、商用電力系統で売電しないまま所定時間Ｔ後に優先順位が最下位となる。そのため、その後送電が可能な状態となっても次に優先順位が１番目となるまで待機しなければならない。
【００８９】
そこで、複数の建屋１９に設置された発電装置６について、さらに売電電力を均等にできるよう、送電が可能な状態となるまで優先順位を保留する方法について図６にて説明する。
【００９０】
図６は、第１の実施形態に係る売電管理システムの、図４とは異なる制御手順の１例を示すタイムチャートである。
【００９１】
図６のｔ２以降のタイミングで行われるタイマー割り込み処理の詳細を説明する。
【００９２】
ｔ２のタイミングでも発電装置６Ａ、６Ｂ、６Ｃの全てが商用電力系統への送電が可能な状態であり、送電制御部４Ａ、４Ｂ、４Ｃからそれぞれ送電要求が行われる。ｔ２のタイミングで優先順位記憶部７１に記憶されているそれぞれの発電装置６Ａ、６Ｂ、６Ｃの優先順位は、高いものからＢ、Ｃ、Ａの順である。
【００９３】
発電装置決定部５２は、ｔ２のタイミングでは発電装置６Ａ、６Ｂ、６Ｃの中で最も優先順位が高い発電装置６Ｂを、送電を許可する発電装置６に決定する。
【００９４】
切替制御部５５は、図６（ｃ）に示すようにｔ２のタイミングで売電切替部２Ｂの送電経路をオン、売電切替部２Ａと売電切替部２Ｃの送電経路をオフにする。
【００９５】
次に、優先順位付与部５１は、所定期間Ｔの間送電が許可された発電装置６Ｂの優先順位を最下位にし、２番目だった発電装置６Ｃの優先順位を繰り上げて最上位にし、３番目だった発電装置６Ａの優先順位を繰り上げて２番目にしている。
【００９６】
ｔ３のタイミングでも発電装置６Ａ、６Ｂ、６Ｃの全てが商用電力系統への送電が可能な状態であり、送電制御部４Ａ、４Ｂ、４Ｃからそれぞれ送電要求が行われる。ｔ３のタイミングで優先順位記憶部７１に記憶されているそれぞれの発電装置６Ａ、６Ｂ、６Ｃの優先順位は、高いものからＣ、Ａ、Ｂの順である。
【００９７】
発電装置決定部５２は、ｔ３のタイミングでは発電装置６Ａ、６Ｂ、６Ｃの中で最も優先順位が高い発電装置６Ｃを、送電を許可する発電装置６に決定する。
【００９８】
切替制御部５５は、図６（ｃ）に示すようにｔ３のタイミングで売電切替部２Ｃの送電経路をオン、売電切替部２Ａと売電切替部２Ｂの送電経路をオフにする。
【００９９】
次に、優先順位付与部５１は、所定期間Ｔの間送電が許可された発電装置６Ｃの優先順位を最下位にし、２番目だった発電装置６Ａの優先順位を繰り上げて最上位にし、３番目だった発電装置６Ｂの優先順位を繰り上げて２番目にしている。
【０１００】
ｔ４のタイミングでは、発電装置６Ａは商用電力系統への送電不可、発電装置６Ｂ、６Ｃは商用電力系統への送電が可能な状態であり、送電制御部４Ｂ、４Ｃからはそれぞれ送電要求が行われる。ｔ４のタイミングで優先順位記憶部７１に記憶されているそれぞれの発電装置６Ａ、６Ｂ、６Ｃの優先順位は、高いものからＡ、Ｂ、Ｃの順である。
【０１０１】
発電装置決定部５２は、ｔ４のタイミングでは発電装置６Ａ、６Ｂ、６Ｃの中で最も優先順位が高い発電装置６Ａから送電要求が行われていないので、２番目に優先順位が高い発電装置６Ｂを送電を許可する発電装置６に決定する。
【０１０２】
切替制御部５５は、図６（ｃ）に示すようにｔ４のタイミングで売電切替部２Ｂの送電経路をオン、売電切替部２Ａと売電切替部２Ｃの送電経路をオフにする。
【０１０３】
次に、優先順位付与部５１は、所定期間Ｔの間送電が許可された発電装置６Ｂの優先順位を最下位にし、最上位の発電装置６Ａの優先順位はそのままで、３番目だった発電装置６Ｃの優先順位を繰り上げて２番目にしている。
【０１０４】
ｔ５のタイミングでは、発電装置６Ａ、６Ｂ、６Ｃの全てが商用電力系統への送電が可能な状態であり、送電制御部４Ａ、４Ｂ、４Ｃからそれぞれ送電要求が行われる。ｔ５のタイミングで優先順位記憶部７１に記憶されているそれぞれの発電装置６Ａ、６Ｂ、６Ｃの優先順位は、高いものからＡ、Ｃ、Ｂの順である。
【０１０５】
発電装置決定部５２は、ｔ５のタイミングで最も優先順位が高い発電装置６Ａを送電を許可する発電装置６に決定する。
【０１０６】
切替制御部５５は、図６（ｃ）に示すようにｔ５のタイミングで売電切替部２Ａの送電経路をオン、売電切替部２Ｂと売電切替部２Ｃの送電経路をオフにする。
【０１０７】
次に、優先順位付与部５１は、所定期間Ｔの間送電が許可された発電装置６Ａの優先順位を最下位にし、２番目だった発電装置６Ｃの優先順位を繰り上げて１番目に、３番目だった発電装置６Ｂの優先順位を繰り上げて２番目にしている。
【０１０８】
ｔ６のタイミングでは、発電装置６Ａ、６Ｂ、６Ｃの全てが商用電力系統への送電が可能な状態であり、送電制御部４Ａ、４Ｂ、４Ｃからそれぞれ送電要求が行われる。ｔ６のタイミングで優先順位記憶部７１に記憶されているそれぞれの発電装置６Ａ、６Ｂ、６Ｃの優先順位は、高いものからＣ、Ｂ、Ａの順である。
【０１０９】
発電装置決定部５２は、ｔ６のタイミングで最も優先順位が高い発電装置６Ｃを送電を許可する発電装置６に決定する。
【０１１０】
切替制御部５５は、図６（ｃ）に示すようにｔ６のタイミングで売電切替部２Ｃの送電経路をオン、売電切替部２Ｂと売電切替部２Ａの送電経路をオフにする。
【０１１１】
次に、優先順位付与部５１は、所定期間Ｔの間送電が許可された発電装置６Ｃの優先順位を最下位にし、２番目だった発電装置６Ｂの優先順位を繰り上げて１番目に、３番目だった発電装置６Ａの優先順位を繰り上げて２番目にしている。
【０１１２】
ｔ７のタイミングでは、発電装置６Ｂは商用電力系統への送電不可、発電装置６Ａ、６Ｃは商用電力系統への送電が可能な状態であり、送電制御部４Ａ、４Ｃからはそれぞれ送電要求が行われる。ｔ７のタイミングで優先順位記憶部７１に記憶されているそれぞれの発電装置６Ａ、６Ｂ、６Ｃの優先順位は、高いものからＢ、Ａ、Ｃの順である。
【０１１３】
発電装置決定部５２は、ｔ７のタイミングでは発電装置６Ａ、６Ｂ、６Ｃの中で最も優先順位が高い発電装置６Ｂから送電要求が行われていないので、２番目に優先順位が高い発電装置６Ａを送電を許可する発電装置６に決定する。
【０１１４】
切替制御部５５は、図６（ｃ）に示すようにｔ７のタイミングで売電切替部２Ａの送電経路をオン、売電切替部２Ｂと売電切替部２Ｃの送電経路をオフにする。
【０１１５】
次に、優先順位付与部５１は、所定期間Ｔの間送電が許可された発電装置６Ａの優先順位を最下位にし、最上位の発電装置６Ｂの優先順位はそのままで、３番目だった発電装置６Ｃの優先順位を繰り上げて２番目にしている。
【０１１６】
図６の説明は以上である。この制御方法では、商用電力系統への送電（売電）が可能な発電装置６に所定時間順番に送電許可を与え、優先順位が最上位であるにもかかわらず送電が不可であるため許可されなかった発電装置の優先順位を最上位に維持しているので、複数の建屋１９に設置された発電装置６から、商用電力系統に売電する時間を均等に近づけることができる。また、建屋１９に設置された発電装置６の仕様や性能が同一であれば、送電要求が均等である場合、建屋１９毎の売電電力と売電金額をほぼ均等にできる。
【０１１７】
なお、優先順位の付与方法は、特に本実施形態に限定されるものではなく、例えば発電装置６の発電能力に合わせて予め重み付けをしても良い。また、切替時間の間隔になるタイマー割り込みの周期Ｔを、時刻や季節によって変えるようにしても良い。
【０１１８】
さらに、ここでは優先順位を繰り上げて順送りする例で説明したが、順に繰り下げてもよい。
【０１１９】
次に、図７〜図１０を用いて第２の実施形態に係る売電管理システムの制御手順を説明する。
【０１２０】
図７は、第２の実施形態に係る売電管理システムの構成の一例を示すブロック図、図８は、第２の実施形態に係るサーバの構成を示すブロック図である。
【０１２１】
図７のブロック図と図２の第１の実施形態のブロック図との違いは、それぞれのＤＣ−ＡＣコンバータ５と売電切替部２との間に商用電力系統に送電した電力を計測する電力計１６をそれぞれの建屋１９に設けた点である。電力計１６は、例えば積算電力計でありＤＣ−ＡＣコンバータ５から商用電力系統に送電した電力の積算値を計測し、積算値のデジタル値を送電制御部４に出力する。
【０１２２】
その他の機能要素は図２と同機能であり、説明を省略する。
【０１２３】
図８に示すサーバ４０は、図３に示す第１の実施形態に係るサーバ４０の備える機能要素に加えて、売電量算出部５３、売電金額算出部５４、売電単価テーブル７２、送電履歴情報記憶部７３を備えている。
【０１２４】
売電量算出部５３は、送電制御部４が電力計１６から読みとった積算電力値の情報と、時計部５６から読み出した日時の情報から発電装置６毎に所定期間の売電量を算出する。
【０１２５】
売電単価テーブル７２は、予め時間帯や季節毎の売電単価を記憶するテーブルであり、記憶部７０に設けられている。
【０１２６】
売電金額算出部５４は、売電量算出部５３が算出した売電量と売電単価テーブル７２に記憶されている売電単価から発電装置６または建屋１９毎に売電金額を算出する。
【０１２７】
送電履歴情報記憶部７３は、記憶部７０に設けられ、発電装置６または建屋１９毎に商用電力系統に送電した履歴情報を記憶する。
【０１２８】
図９は、第２の実施形態に係る売電管理システムの制御手順の一例を示すタイムチャートである。図１０は、第２の実施形態に係る売電管理システムの制御手順の一例を示すフローチャートである。
【０１２９】
第１の実施形態と同様に、サーバ４０から所定の周期Ｔ毎に通信網４１を介して送電制御部４Ａ、４Ｂ、４Ｃに発電状況を問い合わせ、複数の送電制御部４から送電要求があった場合は優先順位の最も高い送電制御部４に送電を許可する制御手順を説明する。
【０１３０】
図９の横軸は時間軸であり、図９に示す周期Ｔ毎のｔ１からｔ７のタイミングは、サーバ４０から送電制御部４Ａ、４Ｂ、４Ｃに発電状況を問い合わせるタイミングである。
【０１３１】
図９（ａ）は、それぞれの発電装置６Ａ、６Ｂ、６Ｃから商用電力系統への送電が可か、不可かのステータスのタイムチャートを示している。送電制御部４は、サーバ４０から発電状況を問い合わせがあった時点で送電が可能な場合、サーバ４０に送電要求をする。
【０１３２】
図９（ｂ）は、優先順位付与部５１が付与し優先順位記憶部７１に記憶されているそれぞれの発電装置６Ａ、６Ｂ、６Ｃの優先順位を、各タイミング毎に示している。図中Ａ、Ｂ、Ｃは発電装置６Ａ、６Ｂ、６Ｃの優先順位であり、矢印の方向に配置されているほど優先順位が高い。
【０１３３】
図９（ｃ）は、売電切替部２Ａ、２Ｂ、２Ｃによる送電経路をオン、オフの切替状態のタイムチャートを示している。
【０１３４】
図１０のフローチャートと図５の第１の実施形態のフローチャートとの違いは、優先順位を決定する際に履歴情報を用いる点である。
【０１３５】
以下、図９を参照しながら図１０のフローチャートを順に説明する。
【０１３６】
サーバ４０の周期Ｔ毎の内部タイマによる割り込みにより、例えば図９に示すｔ１、ｔ２・・・、ｔ７のタイミングで本プログラムは起動される。
【０１３７】
Ｓ１０：送電要求有りか否かを判定するステップである。
【０１３８】
切替制御部５５は、通信部６１から通信網４１を介して送電制御部４Ａ、４Ｂ、４Ｃに発電状況を問い合わせる。
【０１３９】
送電要求有りの場合、（ステップＳ１０；Ｙｅｓ）、ステップＳ１１に進む。
【０１４０】
少なくとも一つの送電制御部４から送電要求があった場合は、ステップＳ１１に進む。
【０１４１】
送電要求無しの場合、（ステップＳ１０；Ｎｏ）、処理を終了し元のルーチンに戻る。
【０１４２】
発電装置決定部５２は、配電線２４への送電を許可する発電装置６無しと決定する。
【０１４３】
Ｓ１１：送電を許可する発電装置を決定するステップである。
【０１４４】
発電装置決定部５２は、優先順位付与部５１が付与した優先順位と通信部６１が受信した送電要求とに基づいて、配電線２４への送電を所定時間許可する発電装置６を決定する。
【０１４５】
図９の例では、ｔ１のタイミングでは発電装置６Ａ、６Ｂ、６Ｃの全てが商用電力系統への送電が可能な状態であり、送電制御部４Ａ、４Ｂ、４Ｃからそれぞれ送電要求が行われる。ｔ１のタイミングで優先順位記憶部７１に記憶されているそれぞれの発電装置６Ａ、６Ｂ、６Ｃ（または、建屋１９Ａ、１９Ｂ、１９Ｃ）の優先順位は、高いものからＡ、Ｂ、Ｃの順である。
【０１４６】
発電装置決定部５２は、ｔ１のタイミングでは発電装置６Ａ、６Ｂ、６Ｃの中で最も優先順位が高い発電装置６Ａを、送電を許可する発電装置６に決定する。
【０１４７】
Ｓ１２：送電制御信号を送信するステップである。
【０１４８】
切替制御部５５は、発電装置決定部５２の決定に基づき、通信部６１から通信網４１を介して送電制御信号を送信し、送電経路のオン、オフを送電制御部４に指令する。
【０１４９】
図９の例では、切替制御部５５は、図９（ｃ）に示すようにｔ１のタイミングで売電切替部２Ａの送電経路をオン、売電切替部２Ｂと売電切替部２Ｃの送電経路をオフにする。
【０１５０】
Ｓ１３：履歴情報を更新するステップである。
【０１５１】
ＣＰＵ５０は、送電履歴情報記憶部７３に記憶されている履歴情報を更新する。
【０１５２】
送電履歴情報記憶部７３に記憶されている履歴情報の例を表１に示す。
【０１５３】
【表１】
2011067992.tif 000003
【０１５４】
送電要求時間は、送電要求を行っていた期間の建屋１９毎の累計である。
【０１５５】
送電許可時間は、サーバ４０が所定の期間に送電許可を与えた時間の建屋１９毎の累計である。
【０１５６】
送電許可割合は、送電制御部４が送電要求を行っていた累計時間のうちサーバ４０が送電許可を与えた時間の割合であり、切替制御部５５はこの値も更新して送電履歴情報記憶部７３に記憶させる。
【０１５７】
売電金額は、所定の期間に売電を行った金額の建屋１９毎の累計である。建屋１９毎の年間の売電金額がほぼ同額になるようにするためには、売電金額を累計する必要がある。
【０１５８】
売電金額算出部５４は、実際に商用電力系統への送電した電力量と売電単価から売電金額を算出する。
【０１５９】
商用電力系統への送電した電力量は、必ずしも送電許可を与えた時間と比例しない。これは、サーバ４０が送電許可を送電制御部４に与えても、分散型の配電装置から商用電力系統へ送電（売電）できない場合があるからである。分散型の発電装置から商用電力系統に送電するには、分散型の発電装置の出力電圧を変換した電圧（建屋側の配電線の電圧）の方が、変圧器とつながる配電線２４の電圧より高くなければならない。しかし、一般に建屋の配電線の電圧は所定の許容範囲（例えば、日本の家庭用電源は１０１±６Ｖ）内に抑えるように法律で定められている。配電線２４の電圧が許容範囲の上限（日本の場合は１０７Ｖ）に達すると、分散型の発電装置の出力電圧から変換した電圧を配電線２４の電圧より高くできないため、商用電力系統に送電ができなくなってしまう。
【０１６０】
また、売電単価は朝晩、昼間など時刻や夏期、冬季など季節によって変わるため、送電許可を与えた時間と売電金額は必ずしも比例しない。
【０１６１】
本実施形態では、売電量算出部５３は、本ステップで通信部６１から通信網４１を介して送電制御部４Ａ、４Ｂ、４Ｃにそれぞれの積算電力値を問い合わせる。送電制御部４は、電力計１６から積算電力値を読み取り売電量算出部５３に送信する。
【０１６２】
売電金額算出部５４は、時計部５６と売電単価テーブル７２を参照して売電単価を求め、売電単価と積算電力値から所定期間Ｔの売電金額を算出し、算出した金額を加えて送電履歴情報記憶部７３に記憶させる。
【０１６３】
Ｓ１４：履歴情報を読み出すステップである。
【０１６４】
優先順位付与部５１は、送電履歴情報記憶部７３から履歴情報を読み出す。
【０１６５】
表１の例では、送電要求の累計時間は建屋１９Ａは６時間、建屋１９Ｂ、１９Ｃはそれぞれ１０時間で、送電許可時間は、建屋１９Ａは２時間、建屋１９Ｂ、１９Ｃはそれぞれ４時間である。
【０１６６】
また、表１の例では、売電金額は、建屋１９Ａは２００円、建屋１９Ｂ、１９Ｃはそれぞれ３００円である。
【０１６７】
Ｓ１５：優先順位を決定するステップである。
【０１６８】
優先順位付与部５１は、ステップＳ１４で読み出した履歴情報に基づいて、配電線２４への送電を所定時間許可する発電装置６の優先順位を決定する。
【０１６９】
表１の例では、発電装置６Ａからの送電要求の累計時間は発電装置６Ｂ、６Ｃより短かく、また、発電装置６Ｂ、６Ｃが送電要求を行う場合と重複しているため、建屋１９Ａの送電許可時間は２時間と建屋１９Ｂ、１９Ｃの１／２になっている。
【０１７０】
また、建屋１９Ａの売電金額は２００円であり、建屋１９Ｂ、１９Ｃの売電金額３００円の２／３である。
【０１７１】
このような履歴情報から、建屋１９Ａ、１９Ｂ、１９Ｃの売電金額をほぼ均等にするためには、発電装置６Ａから配電線２４への送電を許可する時間を増す必要があることがわかる。本実施形態では、優先順位付与部５１は、発電装置６Ａに最上位の優先順位を２回続けて与え、発電装置６Ａが最上位の優先順位になる頻度が第１の実施形態の１．５倍になるようにしている。
【０１７２】
なお、優先順位の付与方法は特にこの例に限らず、頻度をもっと上げても良いし、例えば履歴情報から発電装置６Ａからの送電要求が多い時間帯は、発電装置６Ａに所定期間最上位の優先順位を付与するようにしても良い。
【０１７３】
Ｓ２０：優先順位を更新するステップである。
【０１７４】
優先順位付与部５１は、発電装置６Ａ、６Ｂ、６Ｃの優先順位を更新する。
【０１７５】
図９（ｂ）の例では、ｔ１のタイミングでは優先順位を変更せず、優先順位付与部５１は、所定期間Ｔの間送電が許可された発電装置６Ａの優先順位を最上位のままにしている。
【０１７６】
タイマー割り込み処理の手順の説明は以上である。
【０１７７】
図９のｔ２以降のタイミングで行われるタイマー割り込み処理を説明する。
【０１７８】
ｔ２のタイミングでも発電装置６Ａ、６Ｂ、６Ｃの全てが商用電力系統への送電が可能な状態であり、送電制御部４Ａ、４Ｂ、４Ｃからそれぞれ送電要求が行われる。ｔ２のタイミングで優先順位記憶部７１に記憶されているそれぞれの発電装置６Ａ、６Ｂ、６Ｃの優先順位は、高いものからＡ、Ｂ、Ｃの順である。
【０１７９】
発電装置決定部５２は、ｔ２のタイミングでは発電装置６Ａ、６Ｂ、６Ｃの中で最も優先順位が高い発電装置６Ａを送電を許可する発電装置６に決定する。
【０１８０】
切替制御部５５は、図９（ｃ）に示すようにｔ２のタイミングで売電切替部２Ａの送電経路をオン、売電切替部２Ｂと売電切替部２Ｃの送電経路をオフにする。
【０１８１】
切替制御部５５は、ｔ１〜ｔ２の期間送電許可を与えた発電装置６Ａの送電許可の累計時間にＴを加えて送電履歴情報記憶部７３に記憶させる。
【０１８２】
売電金額算出部５４は、売電単価テーブル７２を参照して発電装置６Ａの売電金額を算出し、算出した金額を加えて送電履歴情報記憶部７３に記憶させる。
【０１８３】
次に、優先順位付与部５１は、履歴情報に基づき所定期間２Ｔの間送電が許可された発電装置６Ａの優先順位を最下位にし、２番目だった発電装置６Ｂの優先順位を繰り上げて最上位にし、３番目だった発電装置６Ｃの優先順位を繰り上げて２番目にしている。
【０１８４】
ｔ３のタイミングでも発電装置６Ａ、６Ｂ、６Ｃの全てが商用電力系統への送電が可能な状態であり、送電制御部４Ａ、４Ｂ、４Ｃからそれぞれ送電要求が行われる。ｔ３のタイミングで優先順位記憶部７１に記憶されているそれぞれの発電装置６Ａ、６Ｂ、６Ｃの優先順位は、高いものからＢ、Ｃ、Ａの順である。
【０１８５】
発電装置決定部５２は、ｔ３のタイミングでは発電装置６Ａ、６Ｂ、６Ｃの中で最も優先順位が高い発電装置６Ｂを送電を許可する発電装置６に決定する。
【０１８６】
切替制御部５５は、図９（ｃ）に示すようにｔ３のタイミングで売電切替部２Ｂの送電経路をオン、売電切替部２Ａと売電切替部２Ｃの送電経路をオフにする。
【０１８７】
切替制御部５５は、ｔ２〜ｔ３の期間送電許可を与えた発電装置６Ｂの送電許可の累計時間にＴを加えて送電履歴情報記憶部７３に記憶させる。
【０１８８】
売電金額算出部５４は、売電単価テーブル７２を参照して発電装置６Ｂの売電金額を算出し、算出した金額を加えて送電履歴情報記憶部７３に記憶させる。
【０１８９】
次に、優先順位付与部５１は、履歴情報に基づき所定期間Ｔの間送電が許可された発電装置６Ｂの優先順位を最下位にし、２番目だった発電装置６Ｃの優先順位を繰り上げて最上位にし、３番目だった発電装置６Ａの優先順位を繰り上げて２番目にしている。
【０１９０】
ｔ４のタイミングでは、発電装置６Ａは商用電力系統への送電不可、発電装置６Ｂ、６Ｃは商用電力系統への送電が可能な状態であり、送電制御部４Ｂ、４Ｃからはそれぞれ送電要求が行われる。ｔ４のタイミングで優先順位記憶部７１に記憶されているそれぞれの発電装置６Ａ、６Ｂ、６Ｃの優先順位は、高いものからＣ、Ａ、Ｂの順である。
【０１９１】
発電装置決定部５２は、ｔ４のタイミングでは発電装置６Ｂ、６Ｃの中で最も優先順位が高い発電装置６Ｃを送電を許可する発電装置６に決定する。
【０１９２】
切替制御部５５は、図９（ｃ）に示すようにｔ４のタイミングで売電切替部２Ｃの送電経路をオン、売電切替部２Ａと売電切替部２Ｃの送電経路をオフにする。
【０１９３】
切替制御部５５は、ｔ３〜ｔ４の期間送電許可を与えた発電装置６Ｃの送電許可の累計時間にＴを加えて送電履歴情報記憶部７３に記憶させる。
【０１９４】
売電金額算出部５４は、売電単価テーブル７２を参照して発電装置６Ｃの売電金額を算出し、算出した金額を加えて送電履歴情報記憶部７３に記憶させる。
【０１９５】
次に、優先順位付与部５１は、履歴情報に基づき所定期間Ｔの間送電が許可された発電装置６Ｃの優先順位を最下位にし、２番目だった発電装置６Ａの優先順位を繰り上げて最上位にし、３番目だった発電装置６Ｂの優先順位を繰り上げて２番目にしている。
【０１９６】
ｔ５のタイミングでは、発電装置６Ａ、６Ｂ、６Ｃの全てが商用電力系統への送電が可能な状態であり、送電制御部４Ａ、４Ｂ、４Ｃからそれぞれ送電要求が行われる。ｔ５のタイミングで優先順位記憶部７１に記憶されているそれぞれの発電装置６Ａ、６Ｂ、６Ｃの優先順位は、高いものからＡ、Ｂ、Ｃの順である。
【０１９７】
発電装置決定部５２は、ｔ５のタイミングで最も優先順位が高い発電装置６Ａを送電を許可する発電装置６に決定する。
【０１９８】
切替制御部５５は、図９（ｃ）に示すようにｔ５のタイミングで売電切替部２Ａの送電経路をオン、売電切替部２Ｂと売電切替部２Ｃの送電経路をオフにする。
【０１９９】
切替制御部５５は、ｔ４〜ｔ５の期間送電許可を与えた発電装置６Ａの送電許可の累計時間にＴを加えて送電履歴情報記憶部７３に記憶させる。
【０２００】
売電金額算出部５４は、売電単価テーブル７２を参照して発電装置６Ａの売電金額を算出し、算出した金額を加えて送電履歴情報記憶部７３に記憶させる。
【０２０１】
優先順位付与部５１は、履歴情報に基づき、ｔ４〜ｔ５の期間送電が許可された発電装置６Ａの優先順位を最上位のままにする。
【０２０２】
ｔ６のタイミングでは、発電装置６Ａ、６Ｂ、６Ｃの全てが商用電力系統への送電が可能な状態であり、送電制御部４Ａ、４Ｂ、４Ｃからそれぞれ送電要求が行われる。ｔ６のタイミングで優先順位記憶部７１に記憶されているそれぞれの発電装置６Ａ、６Ｂ、６Ｃの優先順位は、高いものからＡ、Ｂ、Ｃの順である。
【０２０３】
発電装置決定部５２は、ｔ６のタイミングで最も優先順位が高い発電装置６Ａを送電を許可する発電装置６に決定する。
【０２０４】
切替制御部５５は、図９（ｃ）に示すようにｔ６のタイミングでも売電切替部２Ａの送電経路をオン、売電切替部２Ｂと売電切替部２Ｃの送電経路をオフのままにする。
【０２０５】
切替制御部５５は、ｔ５〜ｔ６の期間送電許可を与えた発電装置６Ａの送電許可の累計時間にＴを加えて送電履歴情報記憶部７３に記憶させる。
【０２０６】
売電金額算出部５４は、売電単価テーブル７２を参照して発電装置６Ａの売電金額を算出し、算出した金額を加えて送電履歴情報記憶部７３に記憶させる。
【０２０７】
次に、優先順位付与部５１は、履歴情報に基づき所定期間２Ｔの間送電が許可された発電装置６Ａの優先順位を最下位にし、２番目だった発電装置６Ｂの優先順位を繰り上げて１番目に、３番目だった発電装置６Ｃの優先順位を繰り上げて２番目にしている。
【０２０８】
ｔ７のタイミングも同様の手順であり説明を省略する。
【０２０９】
このように、本実施形態では、履歴情報に基づき各建屋１９の売電金額が均等になるよう、優先順位を付与するので建屋１９毎の売電金額をほぼ均等にできる。優先順位の付与は特に本実施形態に限定されるものではなく、送電許可割合の低い発電装置６の優先順位が上位になる頻度を上げたり、売電許可を発電装置６に与える時間帯を発電装置６毎に毎日変更するなど、の方法を加えても良い。また、発電量の減る季節は、切替時間の間隔Ｔを短くし、できるだけ売電機会を均等にするようにしても良い。
【０２１０】
また、本実施形態では、算出した売電金額の履歴に基づいて売電金額が均等になるよう、優先順位を付与する例を説明したが、売電金額を算出せず送電要求時間や売電許可時間、売電許可割合などの履歴に基づいて優先順位を付与しても良い。
【０２１１】
なお、発電量が多く消費電力が少ないなど、余剰電力が多く送電要求が高い建屋が優先的に売電できるようにすることで、実績に応じて公平に売買できるようにすることができる。その場合は、送電要求時間の履歴に基づき、売電許可時間や売電許可割合に重みづけをして優先順位を付与してもよい。
【０２１２】
例えば表１の例では、送電要求の累計時間は建屋１９Ａは６時間、建屋１９Ｂ、１９Ｃはそれぞれ１０時間であるため、発電装置６Ａ，６Ｂ，６Ｃから配電線２４への送電を許可する時間の比が、３：５：５となるように、それぞれの発電装置の優先順位が最上位となる頻度を決めるとよい。
【０２１３】
以上このように、本発明によれば、複数の建屋に設置された発電装置から、ほぼ均等に商用電力系統に売電することを可能にする売電管理システムを提供することができる。
【符号の説明】
【０２１４】
１  変圧器
２  売電切替部
４  送電制御部
５  コンバータ
６  発電装置
１０  交流負荷
１１  主変圧器
１２  系統電源
１６  電力計
１８  直流負荷
１９  建屋
２０  発電所
２１  変電所
２２  超高圧送電線
２３  高圧送電線
２４  配電線
４０  サーバ
４１  通信網
５１  優先順位付与部
５２  発電装置決定部
５３  売電量算出部
５４  売電金額算出部
５５  切替制御部
５６  時計部
６０  入力部
６１  通信部
６２  表示部
６３  送信部
６４  受信部
７０  記憶部
７１  優先順位記憶部
７２  売電単価テーブル
７３  送電履歴情報記憶部
【図４】
2011067992.tif 000004
【図１】
2011067992.tif 000005
【図２】
2011067992.tif 000006
【図３】
2011067992.tif 000007
【図５】
2011067992.tif 000008
【図６】
2011067992.tif 000009
【図７】
2011067992.tif 000010
【図８】
2011067992.tif 000011
【図９】
2011067992.tif 000012
【図１０】
2011067992.tif 000013
【国際調査報告】
2011067992.tif 000014
2011067992.tif 000015